(57)【要約】【課題】テープレコーダーのローディング機構を簡素な構成で実現する。【解決手段】蓋体１８を開放し、（Ａ）に示すように、磁気テープカセット２をホルダ５２内に挿入し、磁気テープカセット２が位置決めされるまで前方に押し込み、磁気テープカセット２を装脱位置とし、（Ｂ）に示すように、ホルダ５２を下方に向かって押し下げる。これにより、ホルダ５２は下降位置（ロ）となり下降位置（ロ）にロックされる。ホルダ５２が上昇位置（イ）から下降位置（ロ）に下降されると、制御部１２６によってアクチュエータ６０が動作され、（Ｃ）に示すように、スライドシャーシ５４が前端位置から後端位置に移動され、ホルダ５２に保持された磁気テープカセット２は前記記録再生位置に位置される。【選択図】        図７
2006134544.tif 000002
【特許請求の範囲】
【請求項１】
磁気テープカセットに対して情報の記録および／または再生を行うテープレコーダであって、
直方体状の筐体と、
前記筐体の前面に設けられた磁気テープカセットの装脱部と、
前記筐体の前面に設けられ前記装脱部を開閉する蓋体と、
前記装脱部で装脱される磁気テープカセットの装脱位置と、前記磁気テープカセットに対して情報の記録および／または再生を行う記録再生位置との間で磁気テープカセットを移動させるローディング機構とを備え、
前記装脱部は、
前記筐体の前面に後方に窪むように設けられた凹部と、
前記筐体の前方に臨む前記凹部の底面に開口された前記磁気テープカセットの装脱口と、
前記凹部内に設けられ前記装脱口の左右外側の前記凹部内に指を挿入して前記装脱口で装脱される磁気テープカセットを把持できるスペースとを備え、
前記ローディング機構は、
前面が開放されると共に左右側面の前方箇所に磁気テープカセットの把持用欠部が形成され前記開放された前面から前記磁気テープカセットがそのリールを上下方向に向けた水平な姿勢で装脱され前記磁気テープカセットが装着された状態で前記磁気テープカセットの幅方向の両端をなす左右側面が前記把持用欠部に臨むホルダと、
前記筐体内で前記筐体の前面寄りに位置する前端位置と前記前端位置よりも後方の後端位置との間で前後に移動可能に支持されたスライドシャーシと、
前記スライドシャーシが前記前端位置に位置した状態で前記ホルダを前記装脱口に臨ませかつ前記ホルダの前記把持用欠部が前記凹部の底面の前方に露出するように前記ホルダを位置させ前記ホルダに装着された前記磁気テープカセットを前記装脱位置とする上昇位置と、前記上昇位置の下方の下降位置との間で前記ホルダを昇降可能に支持する平行運動リンク機構と、
前記ホルダが前記下降位置に位置しかつスライドシャーシが前記後端位置に位置した状態で前記ホルダに装着された前記磁気テープカセットは前記記録再生位置となり、この記録再生位置に位置した前記磁気テープカセットに対して情報の記録および／または再生を行うように設けられた回転ヘッドと、
ユーザーにより前記ホルダが前記上昇位置から下降位置へ下降された際に前記ホルダに係合し前記ホルダを前記下降位置にロックする第１のロック機構と、
前記スライドシャーシが前記後端位置から前端位置に移動した際に前記第１のロック機構のロックを解除する第１のロック解除機構と、
前記ホルダを前記下降位置から上昇位置へ付勢する弾性部材と、
前記スライドシャーシの前端位置から後端位置への移動および後端位置から前端位置への移動を行うアクチュエータと、
を備えることを特徴とするテープレコーダー。
【請求項２】
前記凹部は、前記装脱口の左右外側で前記底面の下縁から前方に延在し上方を向いた下面を有し、前記下面は前記装脱口よりも下方に位置し、前記下面が装脱口の左右側部に臨む部分には、前記装脱口に近づくにつれて上昇しその上端が装脱口の下縁に近接する傾斜面がそれぞれ設けられていることを特徴とする請求項１記載のテープレコーダ。
【請求項３】
前記装脱口の下方に、前記スライドシャーシ移動用のスライドシャーシ用開口が前記装脱口と同じ左右幅で連続状に形成されていることを特徴とする請求項１記載のテープレコーダ。
【請求項４】
前記筐体の前面は、最も前方に位置する第１の面と、前記第１の面よりも後方に位置する第２の面とを有し、前記凹部は前記第２の面に形成され、前記スライドシャーシ移動用のスライドシャーシ用開口が前記装脱口と同じ左右幅で前記装脱口の下方の前記第２の面の箇所に連続状に形成され、前記スライドシャーシには、前記前端位置で前記第２の面とほぼ同じ面上を延在し前記スライドシャーシ用開口を閉塞するカバーが設けられていることを特徴とする請求項１記載のテープレコーダ。
【請求項５】
前記筐体の前面は、最も前方に位置する第１の面と、前記第１の面よりも後方に位置する第２の面とを有し、前記凹部は前記第２の面に形成され、前記蓋体はその下端を支点として起立し前記第２の面を閉塞する閉塞位置と、前記下端を支点としてその上端が前方に倒れ前記第２の面を開放する開放位置との間で揺動することを特徴とする請求項１記載のテープレコーダ。
【発明の詳細な説明】
【技術分野】
【０００１】
本発明は磁気テープカセットに対して情報の記録および／または再生を行うテープレコーダに関する。
【背景技術】
【０００２】
直方体状の筐体を有し、その前面に磁気テープカセットの装脱口が設けられたビデオテープレコーダーには、装脱口に挿入された磁気テープカセットを回転ヘッドで記録および／または再生がなされる記録再生位置に移動させ、また、前記記録再生位置から前記装脱口から突出される装脱位置に移動させるローディング機構が設けられている。
このようなローディング機構として、磁気テープカセットを保持するホルダをモータなどのアクチュエータによって移動させることで磁気テープカセットを記録再生位置と装脱位置との間で移動させるように構成したいわゆるフロントローディング機構が知られている。
また、磁気テープカセットをユーザーの手動操作を利用して装着するとともに、弾性部材の弾性力を利用して磁気テープカセットの取り出しを行ういわゆるポップアップ方式と称されるローディング機構も知られており、このポップアップ方式は一般的にビデオカメラなどで採用されている。
また、このようなポップアップ方式と、磁気テープカセットを保持するカセットホルダを前後方向にスライドさせるリニアスケーティング方式とを組み合わせたローディング機構も提案されている（例えば特許文献１参照）。
【特許文献１】特開昭６３−１８１１５３号公報
【発明の開示】
【発明が解決しようとする課題】
【０００３】
ところで、前者のフロントローディング機構は、後者のポップアップ方式のローディング機構と比べて、磁気テープカセットの移動の全てをアクチュエータで行っているため、アクチュエータの駆動力を伝達する伝動機構などの構成が複雑で部品点数も多くコストが嵩むとともに小型化を図る上でも不利であった。
一方、後者のポップアップ方式やリニアスケーティング方式は、フロントローディング方式に比べて構成が簡素であるものの、磁気テープカセットがそのリールを水平方向に向けた鉛直な姿勢で上下方向に出没するため、直方体状の筐体の前面に設けられた装脱口に適用した場合には、前面の上下方向の寸法が大きくなり、採用することが困難であった。
本発明はこのような事情に鑑みなされたものであり、その目的は、直方体状の筐体を有しその前面に磁気テープカセットの装脱口が設けられたテープレコーダーのローディング機構を簡素な構成で実現することにある。
【課題を解決するための手段】
【０００４】
上述の目的を達成するため、本発明は、磁気テープカセットに対して情報の記録および／または再生を行うテープレコーダであって、直方体状の筐体と、前記筐体の前面に設けられた磁気テープカセットの装脱部と、前記筐体の前面に設けられ前記装脱部を開閉する蓋体と、前記装脱部で装脱される磁気テープカセットの装脱位置と、前記磁気テープカセットに対して情報の記録および／または再生を行う記録再生位置との間で磁気テープカセットを移動させるローディング機構とを備え、前記装脱部は、前記筐体の前面に後方に窪むように設けられた凹部と、前記筐体の前方に臨む前記凹部の底面に開口された前記磁気テープカセットの装脱口と、前記凹部内に設けられ前記装脱口の左右外側の前記凹部内に指を挿入して前記装脱口で装脱される磁気テープカセットを把持できるスペースとを備え、前記ローディング機構は、前面が開放されると共に左右側面の前方箇所に磁気テープカセットの把持用欠部が形成され前記開放された前面から前記磁気テープカセットがそのリールを上下方向に向けた水平な姿勢で装脱され前記磁気テープカセットが装着された状態で前記磁気テープカセットの幅方向の両端をなす左右側面が前記把持用欠部に臨むホルダと、前記筐体内で前記筐体の前面寄りに位置する前端位置と前記前端位置よりも後方の後端位置との間で前後に移動可能に支持されたスライドシャーシと、前記スライドシャーシが前記前端位置に位置した状態で前記ホルダを前記装脱口に臨ませかつ前記ホルダの前記把持用欠部が前記凹部の底面の前方に露出するように前記ホルダを位置させ前記ホルダに装着された前記磁気テープカセットを前記装脱位置とする上昇位置と、前記上昇位置の下方の下降位置との間で前記ホルダを昇降可能に支持する平行運動リンク機構と、前記ホルダが前記下降位置に位置しかつスライドシャーシが前記後端位置に位置した状態で前記ホルダに装着された前記磁気テープカセットは前記記録再生位置となり、この記録再生位置に位置した前記磁気テープカセットに対して情報の記録および／または再生を行うように設けられた回転ヘッドと、ユーザーにより前記ホルダが前記上昇位置から下降位置へ下降された際に前記ホルダに係合し前記ホルダを前記下降位置にロックする第１のロック機構と、前記スライドシャーシが前記後端位置から前端位置に移動した際に前記第１のロック機構のロックを解除する第１のロック解除機構と、前記ホルダを前記下降位置から上昇位置へ付勢する弾性部材と、前記スライドシャーシの前端位置から後端位置への移動および後端位置から前端位置への移動を行うアクチュエータとを備えることを特徴とする。
【発明の効果】
【０００５】
そのため、ホルダ、スライドシャーシ、平行運動リンク機構、回転ヘッド、第１のロック機構、第１のロック解除機構、弾性部材、アクチュエータといった簡素な構成で、直方体状の筐体の前面に設けられた装脱口を介して磁気テープカセットの装着を行うことができるので、従来のフロントローディング機構に比べて、部品点数を削減することができるため、コストダウンを図る上で有利となる。
また、従来のポップアップ方式やリニアスケーティング方式に比べ、磁気テープカセットをそのリールを上下方向に向けた水平な姿勢で前後方向に出没させるため、筐体の前面の上下方向の寸法を可及的に小さくでき、テープレコーダの小型化を図る上で有利となる。
【発明を実施するための最良の形態】
【０００６】
実施例によれば、ローディング機構を、ホルダ、スライドシャーシ、平行運動リンク機構、回転ヘッド、第１のロック機構、第１のロック解除機構、弾性部材、アクチュエータといった簡素な部材で構成することによって上記目的を実現した。
【実施例１】
【０００７】
次に本発明の実施例１について図面を参照して説明する。
図１は実施例１のテープレコーダ１００の斜視図、図２は実施例１のテープレコーダ１００の操作パネルが開放された状態を示す斜視図、図３は実施例１のテープレコーダ１００の蓋体が開放された状態を示す斜視図である。
図４は磁気テープカセットをホルダに装着する状態を示す説明図、図５は磁気テープカセットが装着位置にある状態を示す説明図、図６はホルダが下降位置にある状態を示す説明図、図７（Ａ），（Ｂ），（Ｃ）はローディング動作の説明図、図８はテープレコーダ１００の制御系の構成を示すブロック図、図９は磁気テープカセットの斜視図である。
【０００８】
図１〜図３に示すように、テープレコーダ１００は画像情報および音声情報を磁気テープカセット２（図９）にＤＶビデオフォーマット、あるいは、ＨＤＶビデオフォーマットで記録および／または再生を行うデジタルテープレコーダである。
磁気テープカセット２は、図９に示すように、ケース２０２と、このケース２０２の内部に収容された２つのリール２０３に巻回された磁気記録テープ２０５とを備えて構成されている。
ケース２０２は、厚さ方向の両端に位置する上面、下面と、幅方向の両端に位置する左右側面と、長さ方向の一方の端部に位置する後面と、長さ方向の他方の端部に開閉可能に設けられた第１の蓋板２０４と第２の蓋板２０６とを備えている。
これら第１、第２の蓋板２０４，２０６は、磁気記録テープ２０５をこれら第１、第２の蓋板２０４，２０６で覆う閉塞位置と、磁気記録テープ２０５を露出させる開放位置との間で揺動可能に設けられている。
このような磁気テープカセット２は、市販品として種々の形式のものが提供されており、それらに本発明は適用される。
【０００９】
テープレコーダ１００は、直方体状の筐体１０と、筐体１０の前面１２に設けられた装脱部１４と、装脱部１４を開閉する蓋体１８と、磁気テープカセット２を装脱位置と記録再生位置との間で移動させるローディング機構５０とを備えている。
筐体の前面１２は、最も前方に位置する第１の面１２０２と、第１の面１２０２よりも後方に位置する第２の面１２０４とを有している。
本実施例では、筐体１０の前面１２の左側部に第１の面１２０２が設けられ、左側部を除く残りの箇所に第２の面１２０４が設けられている。
第１の面１２０２には、電源スイッチを含むスイッチや摘みからなる複数の第３の操作部材１０８が設けられている。
【００１０】
蓋体１８はその下端を支点として起立し第２の面１２０４を閉塞する閉塞位置と、前記下端を支点としてその上端が前方に倒れ第２の面１２０４を開放する開放位置との間で揺動できるように設けられている。
蓋体１８は、閉塞位置で第２の面１２０４に臨む内面と外側を向いた外面とを有し、図１に示すように、蓋体１８の外面の左半部には、静止画および動画、文字や記号などを含む画像情報が表示されるディスクプレイ１０２が設けられている。
また、蓋体１８の外面の右半部は、図２に示すように、蓋板１８の下縁に枢着された開閉可能な蓋板１９として構成されており、蓋板１９の裏面に臨む前面１２箇所には、磁気テープカセット２の再生、記録、早送り、早戻し、停止、ポーズなどを行うための複数のスイッチからなる第１の操作部材１０４やその他種々の設定や編集を行うための複数のスイッチや摘みからなる第２の操作部材１０６が設けられている。
蓋板１９の外面には、各第１の操作部材１０４を操作するための操作ボタン１０５が設けられており、蓋板１９が閉じられた状態であっても各操作ボタン１０５を介して各第１の操作部材１０６の一部を操作できるように構成されている。
また、蓋体１８の内面の右寄り箇所には磁気テープカセット２の排出を行うためのイジェクトスイッチ１０９が設けられている。
【００１１】
図３に示すように、装脱部１４は、筐体１０の前面に設けられた凹部１５と、筐体１０の前方に臨む凹部１５の底面１５０２に開口された磁気テープカセットの装脱口１６と、凹部１５内に設けられ装脱口１６の左右外側の凹部１５内に指を挿入して装脱口１６で装脱される磁気テープカセット２を把持できるスペース１７とを備えている。
凹部１５は、本実施例では第２の面１２０４に後方に窪むように形成され、凹部１５は、底面１５０２の下縁から前方に延在し上方を向いた下面１５０４を有し、下面１５０４は装脱口１６よりも下方に位置している。
下面１５０４の前縁は第２の面１２０４に接続され、凹部１５内で底面１５０２の前方箇所がスペース１７となっている。
本実施例では、スライドシャーシ移動用のスライドシャーシ用開口２１が装脱口１６と同じ左右幅で装脱口１６の下方の前記第２の面の箇所に連続状に形成されている。
下面１５０４が装脱口１６の左右側部に臨む部分には、装脱口１６に近づくにつれて上昇しその上端が装脱口１６の下縁に近接する傾斜面１５０６がそれぞれ設けられている。
【００１２】
ローディング機構５０は、ホルダ５２と、スライドシャーシ５４と、平行運動リンク機構５６と、回転ヘッド１１０と、第１のロック機構と、第１のロック解除機構と、弾性部材と、アクチュエータ６０と、センサ６２とを含んでいる。
図３、図５に示すように、ホルダ５２は、磁気テープカセット２がリール２０３を上下方向に向けた水平な姿勢で挿入される間隔で上下に対向する下板５２０２と上板５２０４とを備え、前面が開放されると共に左右側面の前方箇所に磁気テープカセット２の把持用欠部５３が形成されている。
そして、前記開放された前面から磁気テープカセット２を挿入すると、磁気テープカセット２はホルダ５２内で位置決めされるように構成され、このように磁気テープカセット２が装着された状態で磁気テープカセット２の左右側面が把持用欠部５３に臨むように構成されている。
図７に示すように、スライドシャーシ５４は、筐体１０内で筐体１０の前面寄りに位置する前端位置（図７（Ｂ）と、前端位置よりも後方の後端位置（図７（Ｃ））との間で前後に移動可能に支持されている。実施例では、筐体１０内にメインシャーシ７０が固定され、スライドシャーシ５４はこのメインシャーシ７０上に移動可能に支持されている。
スライドシャーシ５４は、前記前端位置でその前端がスライドシャーシ用開口２１に位置し、スライドシャーシ５４の前端には、前記前端位置で第２の面１２０４とほぼ同じ面上を延在しスライドシャーシ用開口２１を閉塞するカバー５４０２が設けられている。
【００１３】
図７に示すように、平行運動リンク機構５６は、スライドシャーシ５４が前記前端位置に位置した状態で上昇位置（イ）（図７（Ａ））と、上昇位置（イ）の下方の下降位置（ロ）（図７（Ｂ））との間でホルダ５２を水平な姿勢を保ちつつ昇降可能に支持するように構成され、平行運動リンク機構５６は、ホルダ５２の下方の左右両側に一対設けられ、それぞれ２つのアームなどからなる従来公知の機構である。
なお、上昇位置（イ）から下降位置（ロ）に磁気テープカセット２が下降される際に、ケース２０２の第１、第２の蓋板２０４，２０６は不図示の突起に係合して開かれ、逆に下降位置（ロ）から上昇位置（イ）に上昇される際に前記突起との係合が解除されて閉じられ、このような第１、第２の蓋板２０４，２０６の開閉は従来公知の様々な構造が適用可能である。
平行運動リンク機構５６は、スライドシャーシ５４が前記前端位置に位置した状態でホルダ５２を上昇位置（イ）とすると、ホルダ５２が装脱口１６に臨みかつホルダ５２の把持用欠部５３が凹部１５の底面１５０２の前方に露出し、ホルダ５２に装着された磁気テープカセット２が装脱位置となるように構成されている。
また、図７（Ｃ）に示すように、ホルダ５２が下降位置（ロ）に位置しかつスライドシャーシ５４が前記後端位置に位置した状態で、ホルダ５２に装着された磁気テープカセット２が前記記録再生位置となるように構成されている。
回転ヘッド１１０は、前記記録再生位置に位置した磁気テープカセット２に対して情報の記録および／または再生を行うようにメインシャーシ７０に設けられている。
【００１４】
前記第１のロック機構は、ユーザーによりホルダ５２が上昇位置（イ）から前記下降位置へ下降された際にホルダ５２に係合しホルダ５２を下降位置（ロ）にロックするように構成されている。
また、前記第１のロック解除機構は、スライドシャーシ５４が後端位置から前端位置に移動した際に第１のロック機構のロックを解除するように構成されている。
前記弾性部材は、ホルダ５２を下降位置（ロ）から上昇位置（イ）へ付勢するように構成されている。
したがって、スライドシャーシ５４が後端位置から前端位置に移動すると、前記弾性部材によりホルダ５２は下降位置（ロ）から上昇位置（イ）となり、磁気テープカセット２が装脱位置となり、これら第１のロック機構や第１のロック解除機構、弾性部材として従来公知の様々な構成が採用可能である。
前記アクチュエータ６０は、スライドシャーシ５４の前記前端位置から後端位置への移動および後端位置から前端位置への移動を行うように構成され、例えば、パルスモータ、ラック、ピニオンなど従来公知の様々な構成が採用可能である。
【００１５】
次に、図８を参照して、テープレコーダ１００の制御系の構成について説明する。
テープレコーダ１００は、磁気テープカセット２の磁気テープに対して情報の記録および／または再生を行う回転ヘッド１１０と、回転ヘッド１１０の回転駆動および信号処理を行い情報の記録および／または再生を司る記録再生部１１２と、記録再生部１１２と入出力端子１１６との間で画像信号および音声信号のインターフェースをとるインターフェース部１１４と、テープレコーダ１００の外部に設けられた外部装置と接続され画像信号および音声信号を授受する入出力端子１１６と、記録再生部１１２から出力される画像信号に基づいてディスプレイ１０２に画像を表示させる表示処理部１１８とを有している。
また、テープレコーダ１００は、磁気テープカセット２のテープを走行させる走行モータ１２０と、走行モータ１２０を駆動するモータ駆動部１２２と、アクチュエータ６０と、ホルダ５２が前記上昇位置から前記下降位置へ下降されたことを検出するセンサ６２とを有している。
また、テープレコーダ１００は、第１〜第３の操作部材１０４，１０６，１０８からなる操作部１２４と、イジェクトスイッチ１０９と、記録再生部１１２と、表示処理部１１８と、モータ駆動部１２２と、アクチュエータ６０と、センサ６２とに接続され、これら操作部１２４、イジェクトスイッチ１０９、センサ６２の動作に応じて、記録再生部１１２、表示処理部１１８、モータ駆動部１２２、アクチュエータ６０を制御する制御部１２６を有している。
【００１６】
なお、筐体１０の上縁右寄り箇所および右縁上部寄り箇所には、蓋体１８を開放する際に指を蓋体１８の縁に掛けやすくするための指掛け用凹部２０がそれぞれ形成されている。
また、筐体１０の後面２２には、ＡＣアダプター２４を接続する電源端子（不図示）やバッテリー２６が装着されるバッテリー取付部（不図示）が設けられており、テープレコーダ１００は、ＡＣ電源とバッテリー２６の何れによっても駆動されるように構成されている。
【００１７】
次にテープレコーダ１００に磁気テープカセット２を装着する場合の動作について説明する。
説明の便宜上、テープレコーダ１００に磁気テープカセット２が収容されておらず、この状態でホルダ５２が上昇位置（イ）に位置しているものとする。
この状態で電源スイッチをオンとして、蓋体１８を開放し、図７（Ａ）に示すように、磁気テープカセット２をホルダ５２内に挿入し、磁気テープカセット２が位置決めされるまで前方に押し込み、磁気テープカセット２を装脱位置にする。
磁気テープカセット２が装脱位置に位置したならば、図７（Ｂ）に示すように、ホルダ５２の上板５２０４の上面に指を当て下方に向かって押し下げる。これにより、ホルダ５２は下降位置（ロ）となり、前記第１のロック機構により下降位置（ロ）にロックされる。
ホルダ５２が上昇位置（イ）から下降位置（ロ）に下降されると、センサ６２が作動し、制御部１２６はホルダ５２の下降位置（ロ）への下降を認識する。
これにより、制御部１２６によってアクチュエータ６０が動作され、図７（Ｃ）に示すように、スライドシャーシ５４が前端位置から後端位置に移動され、ホルダ５２に保持された磁気テープカセット２は前記記録再生位置に位置される。
次いで、操作部１２４を操作することで、制御部１２６の制御により回転ヘッド１１０が駆動され、磁気テープカセット２に対する情報の記録および／または再生がなされる。
なお、ホルダ５２を下降位置（ロ）に下降させたならば、蓋体１８を閉じればよい。
【００１８】
次にテープレコーダ１００に装着されていた磁気テープカセット２を取り外す場合の動作について説明する。
蓋体１８を開放し、イジェクトスイッチ１０９を操作すると、制御部１２６によりアクチュエータ６０が動作され、図７（Ｃ）、（Ｂ）に示すように、スライドシャーシ５４が後端位置から前端位置に移動される。
スライドシャーシ５４が後端位置から前端位置に移動されると、前記第１のロック解除機構により第１のロック機構のロックが解除され、図７（Ｂ）、（Ａ）に示すように、前記弾性部材の付勢により、ホルダ５２が下降位置（ロ）から上昇位置（イ）へ上昇し、磁気テープカセット２は装脱位置となる。
ユーザーは、図４に示すように、装脱口１６の左右両側のスペース１７に指を挿入し、ホルダ５２の把持用欠部５３を介して磁気テープカセット２の左右側面を把持し、手前に引き出すことで磁気テープカセット２をホルダ５２から取り外す。
【００１９】
本実施例によれば、ホルダ５２、スライドシャーシ５４、平行運動リンク機構５６、回転ヘッド１１０、前記第１のロック機構、前記第１のロック解除機構、前記弾性部材、前記アクチュエータといった簡素な構成で、直方体状の筐体１０の前面１２に設けられた装脱口１６を介して磁気テープカセット２の装着を行うことができるので、従来のフロントローディング機構に比べて、部品点数を削減することができるため、コストダウンを図る上で有利となる。
また、従来のポップアップ方式やリニアスケーティング方式に比べ、磁気テープカセットをそのリールを上下方向に向けた水平な姿勢で前後方向に出没させるため、筐体の前面の上下方向の寸法を可及的に小さくでき、テープレコーダの小型化を図る上で有利となる。
また、ホルダ５２の上昇位置（イ）から下降位置（ロ）への下降をユーザの指により行うとともに、ホルダ５２の下降位置（ロ）から上昇位置（イ）への上昇を弾性部材により行ない、また、スライドシャーシ５４を前後に移動させるという簡単な構成であるため、構造を簡易化でき、コストダウンを図る上で、また、耐久性を高める上で有利となる。
また、本実施例では、凹部１５の下面１５０４に傾斜面１５０６を設けたので、装脱口１６の左右両側のスペース１７に指を挿入して磁気テープカセット２を取り出す際に、指が傾斜面１５０６によりホルダ５２の把持用欠部５３に導かれ、したがって、暗いところで磁気テープカセット２を取り出す場合などに有利となる。
また、本実施例では、テープレコーダー１００は据え置き式であり、また、磁気テープカセット２が筐体１０の前面１２から装脱でき、筐体１０の上下面は平坦であることから、他の機器、例えばチューナーやＣＤプレーヤーやＤＶＤプレーヤーなどとともに上下に積み重ねて載置した状態で使用でき、使用勝手に優れる。
【００２０】
なお、本実施例では、テープレコーダー１００がデジタルビデオテープレコーダである場合について説明したが、テープレコーダーは、ビデオテープレコーダに限定されるものではなく、オーディオデータやデジタルデータを記録および／または再生するテープレコーダに適用可能であることは無論である。
【図面の簡単な説明】
【００２１】
【図１】実施例１のテープレコーダ１００の斜視図である。
【図２】実施例１のテープレコーダ１００の操作パネルが開放された状態を示す斜視図である。
【図３】実施例１のテープレコーダ１００の蓋体が開放された状態を示す斜視図である。
【図４】磁気テープカセットをホルダに装着する状態を示す説明図である。
【図５】磁気テープカセットが装着位置にある状態を示す説明図である。
【図６】ホルダが下降位置にある状態を示す説明図である。
【図７】Ａ），（Ｂ），（Ｃ）はローディング動作の説明図である。
【図８】テープレコーダ１００の制御系の構成を示すブロック図である。
【図９】図９は磁気テープカセットの斜視図である。
【符号の説明】
【００２２】
２……磁気テープカセット、１０……筐体、１２……前面、１４……装脱部、１５……凹部、１５０２……底面、１６……装脱口、１７……スペース、１８……蓋体、５０……ローディング機構、５２……ホルダ、５３……把持用欠部、５４……スライドシャーシ、５６……平行運動リンク機構、１１０……回転ヘッド６０……アクチュエータ１００……テープレコーダ。
【図１】
2006134544.tif 000003
【図２】
2006134544.tif 000004
【図３】
2006134544.tif 000005
【図４】
2006134544.tif 000006
【図５】
2006134544.tif 000007
【図６】
2006134544.tif 000008
【図７】
2006134544.tif 000009
【図８】
2006134544.tif 000010
【図９】
2006134544.tif 000011